(57)【要約】【課題】従来のロッカーアーム１では、カム３と接触するためのロッカーアーム用軸受６の転動体として、針状転動体が使用されていた。そのため、作動中にスキュー滑りという現象が生じ、ロッカーアーム用軸受６での摩擦損失の増大，騒音の発生，ロッカーアーム用軸受の外輪の磨耗量増大等が生じていた。【解決手段】ロッカーアーム用軸受６に使用する転動体として、保持器６４により保持されたボール転動体（図示せず）を用いることとした。すると、針状転動体を使用していた従来のものと比べ、摩擦損失や騒音等が驚くほど少なくなった（摩擦トルクが約６分の１）。【選択図】図１
0003126646.tif 000002
【実用新案登録請求の範囲】
【請求項１】
ロッカーアーム本体と、該ロッカーアーム本体に取り付けられ、カムと接触するためのロッカーアーム用軸受とを具えたロッカーアームにおいて、
該ロッカーアーム用軸受に使用する転動体として、保持器により保持されたボール転動体を用いた
ことを特徴とするロッカーアーム。
【請求項２】
ロッカーアーム本体と、該ロッカーアーム本体に取り付けられ、カムと接触するためのロッカーアーム用軸受とを具えたロッカーアームにおいて、
該ロッカーアーム用軸受に使用する転動体として、保持器により保持されたボール転動体を用い、且つ該ボール転動体の列を複数列とした
ことを特徴とするロッカーアーム。
【考案の詳細な説明】
【技術分野】
【０００１】
本考案は、エンジンのバルブの開閉機構に使用されるロッカーアームに関するものである。
【背景技術】
【０００２】
エンジンの吸気バルブや排気バルブの開閉は、シリンダ内のピストンの動作状況とタイミングを取りながら行う必要がある。ピストンの動作状況は言い換えればエンジンの回転状況であるから、エンジンの回転状況とタイミングが取られる。即ち、エンジンの回転をカムシャフトに伝え、該カムシャフトのカムの動きによりロッカーアームを作動させ、各バルブの開閉が行われる。
【０００３】
図３は、従来のロッカーアームを示す図である。これは、エンドピボットタイプと呼ばれる種類のロッカーアームである。図３において、１はロッカーアーム、２はカムシャフト、３はカム、４はロッカーアーム本体、５はピボット部、６はロッカーアーム用軸受、７はローラー軸、８は揺動端部、９はバネ、１０はバネ受、１１はバルブステム、１２はバルブである。
【０００４】
ロッカーアーム１は、ロッカーアーム本体４とロッカーアーム用軸受６とローラー軸７とから構成されている。
ロッカーアーム本体４の一方の端部はピボット部５とされており、他方の端部は揺動端部８とされている。揺動端部８の下面はバルブステム１１の上端と接触させられている。バルブステム１１の下方にはバルブ１２が設けられている。バルブステム１１の上部にはバネ９及びバネ受１０が設けられている。
ロッカーアーム用軸受６にはローラー軸７が挿通され、そのローラー軸７は、ロッカーアーム本体４のほぼ中央付近に固着されている。ロッカーアーム用軸受６の外周には、カム３が接触させられている。
【０００５】
図４は、従来のロッカーアームにおけるロッカーアーム用軸受を示す図である。符号は図３のものに対応し、６１は外輪、６２は針状転動体、６３はワッシャーである。図４（１）はロッカーアーム用軸受６の側面から見た図、図４（２）は図４（１）のＸ−Ｘ線での外輪６１とワッシャー６３の断面図である。
従来のロッカーアームでは、ロッカーアーム用軸受６の転動体としては、針状転動体６２が用いられていた。ワッシャー６３は、針状転動体６２が側方へ抜け出すのを防止するためのものである。針状転動体６２を用いたロッカーアーム用軸受６は、バラのままの針状転動体６２をローラー軸７の周りに次々と配置して構成されるので、組立には充分な注意が必要とされる。
ロッカーアーム用軸受６は、ロッカーアーム１がカム３と接触する専用部分として設けられている。ロッカーアーム用軸受６には針状転動体６２が内蔵されているので、カム３と接触した時、滑らかに回転して接触摩擦を低減する。
【０００６】
図３に戻り、動作を説明する。
カム３が矢印Ａのように回転し、カム３の径大部がロッカーアーム用軸受６を押圧すると、揺動端部８はバネ９の弾発力に抗しながら矢印Ｂの如く下方に回動し、バルブステム１１及びバルブ１２を下方へ沈める（これによりバルブは開く）。
カム３の径大部が通り過ぎると、バネ９の弾発力により揺動端部８，バルブステム１１及びバルブ１２は上昇し、元の位置へ復帰する（これによりバルブは閉じる）。
【特許文献１】特開２００６−０６３８６０号公報
【考案の開示】
【考案が解決しようとする課題】
【０００７】
前記した従来のロッカーアームでは、ロッカーアーム用軸受の転動体として、針状転動体が使用されていた。しかし、針状転動体を使用した場合、作動中に幾らかの「スキュー滑り」という現象が生じることは、どうしても避けられなかった。そのため、その現象に伴いロッカーアーム用軸受での摩擦損失の増大，騒音の発生，ロッカーアーム用軸受の外輪の磨耗量増大等が生じると共に、延いてはエンジンの燃費の悪化にもつながるという問題点があった。
本考案は、このような問題点を解決することを課題とするものである。
【課題を解決するための手段】
【０００８】
前記課題を解決するため、本考案では、ロッカーアーム本体と、該ロッカーアーム本体に取り付けられ、カムと接触するためのロッカーアーム用軸受とを具えたロッカーアームにおいて、該ロッカーアーム用軸受に使用する転動体として、保持器により保持されたボール転動体を用いることとした。
なお、このボール転動体の列は、必要に応じて複数列としても良い。
【考案の効果】
【０００９】
本考案のロッカーアームによれば、ロッカーアーム用軸受に使用する転動体として、ボール転動体を使用することにしたので、針状転動体では生じていたような「スキュー滑り」という現象は発生しない。そのため、次のような効果を奏する。
（１）ロッカーアーム用軸受での摩擦損失および騒音を、大幅に少なくすることが出来る。因みに、ロッカーアーム用軸受での摩擦トルクを、針状転動体を使用したものと比べると、約６分の１程度となり、騒音は約３分の１程度となる。
（２）摩擦トルクが大幅に少なくなるので、ロッカーアーム用軸受の外輪の磨耗量が少なくなると共に、接触相手であるカムの表面の磨耗損失も、大幅に減少することが出来る。
（３）本考案のロッカーアームを使用しているエンジンの燃費が良くなると共に、バルブ往復運動の追従性感度の向上が図れる。
（４）従来の針状転動体を用いたロッカーアーム用軸受は、ローラー軸とばらばらに分解される為、組立に充分な注意を払わなければならないのに対し、本考案のものはローラー軸と一体化構造にした事により組立の簡単化が図れる。
【考案を実施するための最良の形態】
【００１０】
以下、本考案の実施形態を図面に基づいて詳細に説明する。
図１は、本考案のロッカーアームを示す図である。符号は図３のものに対応し、６４はボール転動体を所定位置に保持するための保持器である。ロッカーアーム用軸受６の詳細な構造を除き、他の部分の構造および動作は、図３のものと同様であるので、それらについての説明は省略する。
図２は、本考案のロッカーアームにおけるロッカーアーム用軸受６を示す図である。符号は図１，図４のものに対応し、６５はボール転動体、６６，６７は凹条溝である。
図２（１）はロッカーアーム用軸受６の側面から見た図であり、図２（２）は図２（１）のＸ−Ｘ線での外輪６１と保持器６４の断面図である。本考案のロッカーアームでは、ロッカーアーム用軸受６の転動体として、ボール転動体６５を用いることにした。
【００１１】
凹条溝６６はローラー軸７の外周面に設けられたものであり、凹条溝６７は外輪６１の内周面に設けられたものである。保持器６４は、ローラー軸７の外周に配置する複数個のボール転動体６５を、所定間隔を保ちつつ保持する。保持器６４に保持されたボール転動体６５は、ローラー軸７外周面の凹条溝６６に嵌められ、その位置から外れることがないから、いわばローラー軸７と一体化された構造となる。そのため、組立時の作業が簡単になる。
この例では図２（２）に示すように、ボール転動体６５を２列設けているが、列の数は必要に応じて決定すればよく、これより多くても良いし、少なくても良い。
【００１２】
このようなロッカーアーム用軸受６では、バラのまま集められている針状転動体ではなく、保持器に保持されたボール転動体を使用しているので、「スキュー滑り」という現象は生じない。そのため、ロッカーアーム用軸受での摩擦損失は著しく減少する。
考案者が驚愕したのは、摩擦損失のあまりの減少ぶりである。同じ転動体の仲間であるから、ボール転動体に代えたからといって、摩擦損失にそう大きな違いは無いだろうと思っていたところ、そのような固定概念を木っ端微塵に打ち砕く、予想外に大きな違いがあることを見出したのである。
【００１３】
因みに、針状転動体を使用した従来のロッカーアーム用軸受と、ボール転動体を使用した本考案のロッカーアーム用軸受との摩擦トルクを測定し、比較したところ、何と、ボール転動体を使用した本考案の摩擦トルクは、針状転動体を使用したものの約６分の１であったのである。これは、想像を超える顕著な効果である。
このような摩擦損失の著しい減少に伴い、ロッカーアーム用軸受で発生する騒音は従来の約３分の１に少なくなるし、ロッカーアーム用軸受の外輪の磨耗量も少なくなる。その結果、本考案のロッカーアームを使用するエンジンの燃費も良くなる。
なお、以上はエンドピボットタイプのロッカーアームを例にとって説明したが、本考案は、センターピボットタイプのロッカーアームについても、同様に適用し得ることは言うまでもない。
【図面の簡単な説明】
【００１４】
【図１】本考案のロッカーアームを示す図
【図２】本考案のロッカーアームにおけるロッカーアーム用軸受を示す図
【図３】従来のロッカーアームを示す図
【図４】従来のロッカーアームにおけるロッカーアーム用軸受を示す図
【符号の説明】
【００１５】
１…ロッカーアーム、２…カムシャフト、３…カム、４…ロッカーアーム本体、５…ピボット部、６…ロッカーアーム用軸受、７…ローラー軸、８…揺動端部、９…バネ、１０…バネ受、１１…バルブステム、１２…バルブ、６１…外輪、６２…針状転動体、６３…ワッシャー、６４…保持器、６５…ボール転動体、６６，６７…凹条溝
【図１】
0003126646.tif 000003
【図２】
0003126646.tif 000004
【図３】
0003126646.tif 000005
【図４】
0003126646.tif 000006